(57)【要約】【課題】  受信している放送信号が地上波放送によるものであるのかＣＡＴＶ放送によるものであるのかを自ら判断する。【解決手段】  放送受信装置は、受信した放送信号についてデジタル地上波放送のための信号処理をするデジタル地上波処理部と、受信した放送信号についてデジタルケーブル放送のための信号処理をするデジタルケーブル処理部とを有するＮＩＭ２と、受信した放送信号の波形の特性に基づいて該受信放送信号は、デジタル地上波放送およびデジタルケーブル放送うちのいずれの放送信号であるかを判定する信号獲得判定回路５０とを備えて、ＣＰＵ６は、信号獲得判定回路５０の獲得結果情報４４に基づいて、ＮＩＭ２のデジタル地上波処理部およびデジタルケーブル処理部のいずれかに対して信号処理を実行させる。【選択図】        図１
2005094555.tif 000002
【特許請求の範囲】
【請求項１】
受信装置を搭載したテレビジョン装置であって、
テレビジョン放送を視聴するためのテレビジョン受像部を備え、
前記受信装置は、
受信した放送信号についてデジタル地上波放送のための信号処理をするデジタル地上波処理部と、
受信した放送信号についてデジタルケーブル放送のための信号処理をするデジタルケーブル処理部と、
放送信号の変調の種別に応じた波形の特性に基づいて、該受信放送信号は、前記デジタル地上波放送および前記デジタルケーブル放送うちのいずれの放送信号であるかを判定する判定部と、
受信した放送信号についてアナログ放送のための信号処理をするアナログ処理部と、
制御部とを有し、
前記制御部は、前記判定部の判定結果に基づいて、前記デジタル地上波処理部および前記デジタルケーブル処理部のいずれかに対して前記信号処理を実行させる手段と、
前記アナログ処理部に対して、前記判定部の判定結果に基づいて、アナログ地上波放送のための信号処理およびアナログケーブル放送のための信号処理のいずれかを実行させる手段とを含み、
前記信号処理には選局処理が含まれて、
前記選局処理は、全てのチャネルを対象にして実行される、または所望される１つのチャネルを対象にして実行されて、
前記信号処理には、前記選局処理された後の前記放送信号を前記テレビジョン受像部を介して視聴可能な信号に変換する変換処理が含まれる、受信装置を搭載したテレビジョン装置。
【請求項２】
受信した放送信号についてデジタル地上波放送のための信号処理をするデジタル地上波処理部と、
受信した放送信号についてデジタルケーブル放送のための信号処理をするデジタルケーブル処理部と、
受信した放送信号の波形の特性に基づいて、該受信放送信号は、前記デジタル地上波放送および前記デジタルケーブル放送うちのいずれの放送信号であるかを判定する判定部と、
制御部とを備えて、
前記制御部は、前記判定部の判定結果に基づいて、前記デジタル地上波処理部および前記デジタルケーブル処理部のいずれかに対して前記信号処理を実行させる手段を有する、受信装置。
【請求項３】
前記波形の特性は、前記放送信号の変調の種別に応じた特性を示すことを特徴とする、請求項２に記載の受信装置。
【請求項４】
受信した放送信号についてアナログ放送のための信号処理をするアナログ処理部をさらに備えて、
前記制御部は、
前記アナログ処理部に対して、前記判定部の判定結果に基づいて、アナログ地上波放送のための信号処理およびアナログケーブル放送のための信号処理のいずれかを実行させる手段をさらに有する、請求項２または３に記載の受信装置。
【請求項５】
前記信号処理には選局処理が含まれることを特徴とする、請求項２から４のいずれか１項に記載の受信装置。
【請求項６】
前記選局処理は、全てのチャネルを対象にして実行されることを特徴とする、請求項２から５のいずれか１項に記載の受信装置。
【請求項７】
前記選局処理は、所望される１つのチャネルを対象にして実行されることを特徴とする、請求項２から５のいずれか１項に記載の受信装置。
【請求項８】
前記信号処理には、前記選局処理された後の前記放送信号を予め準備されたテレビジョン受像部を介して視聴可能な信号に変換する変換処理が含まれて、
前記受信装置と前記テレビジョン受像部とは一体的に構成されることを特徴とする、受信装置。
【発明の詳細な説明】
【技術分野】
【０００１】
この発明は受信装置およびそれを搭載したテレビジョン装置に関し、特に、地上波放送およびＣＡＴＶ（cable television）放送に共用可能なテレビジョン放送信号の受信装置およびそれを搭載したテレビジョン装置に関する。
【背景技術】
【０００２】
地上波放送およびＣＡＴＶ放送に共用できて、特にアナログＴＶ放送とＤＴＶ（Digital Television）放送をともに受信することができる受信装置が提案されている（たとえば、特許文献１を参照）。
【特許文献１】特開平１１−３５５６８１号公報
【発明の開示】
【発明が解決しようとする課題】
【０００３】
上述の特許文献１では、ケーブルを差し替える必要なくＣＡＴＶ放送と地上波放送とに共用可能とするためにアンテナにより受信された地上波放送の信号入力端子と周波数変換手段と、ＮＴＳＣ（National television system committee）復調回路と、ＶＳＢ（Vestigial Sideband）復調回路と、ＱＡＭ（Quadrature Amplitude Modulation）復調回路と、ＣＡＴＶ放送の信号入力端子とを備えて両入力端子のいずれか一方からの入力信号を選択的に切換えて周波数変換して中間周波数信号に変換し、そのまま中間周波数信号をＮＴＳＣ復調回路、ＶＳＢ復調回路およびＱＡＭ復調回路のいずれかに選択的に与えるように構成されている。選択的な切換は選局すべき放送局を特定する選局データ信号に基づいてなされている。
【０００４】
つまり、選局されている放送局を特定する選局データ信号に基づいて、信号の処理系統を切換える構成なので、処理系統を区別する何らかの選局データ信号を外部から与えない限りは適切に受信することができなかった。
【０００５】
それゆえにこの発明の目的は、受信している放送信号が地上波放送によるものであるのかＣＡＴＶ放送によるものであるのかを自ら判断して受信する受信装置およびそれを搭載したテレビジョン装置を提供することである。
【課題を解決するための手段】
【０００６】
この発明のある局面に従う受信装置は、受信した放送信号についてデジタル地上波放送のための信号処理をするデジタル地上波処理部と、受信した放送信号についてデジタルケーブル放送のための信号処理をするデジタルケーブル処理部と、受信した放送信号の波形の特性に基づいて、該受信放送信号は、デジタル地上波放送およびデジタルケーブル放送うちのいずれの放送信号であるかを判定する判定部と、制御部とを備えて、制御部は、判定部の判定結果に基づいて、デジタル地上波処理部およびデジタルケーブル処理部のいずれかに対して信号処理を実行させる手段を有する。
【０００７】
したがって、デジタル地上波放送とデジタルケーブル放送のいずれかを受信可能な受信装置では、判定部により、受信放送信号の波形特性に基づいて受信しているのはデジタル地上波放送とデジタルケーブル放送のいずれであるかを判定して、判定結果に基づきデジタル地上波処理部およびデジタルケーブル処理部のいずれかに対して信号処理を実行させる。
【０００８】
それゆえにデジタル地上波放送とデジタルケーブル放送のいずれかを受信可能な受信装置では、受信する放送信号が地上波放送によるものであるのか、またはＣＡＴＶ放送によるものであるのかを、外部から何ら指示を与えなくとも自らが判断して、それに応じた信号処理を行なわせることができる。
【０００９】
ユーザにとっては、ケーブルを差し替えて地上波放送とケーブル放送との間で切替えを行なったとしても、切替えたことを示す指示を受信装置に与えなくてもよいから、使い勝手に優れる。
【００１０】
好ましくは、波形の特性は、放送信号の変調の種別に応じた特性を示す。デジタル地上波放送とデジタルケーブル放送では、放送信号の変調の種別は異なるから、受信した放送信号の波形の特性から放送信号の変調の種別、すなわち地上波放送とケーブル放送の別を判定できる。
【００１１】
好ましくは、受信した放送信号についてアナログ放送のための信号処理をするアナログ処理部をさらに備えて、制御部は、アナログ処理部に対して、判定部の判定結果に基づいて、アナログ地上波放送のための信号処理およびアナログケーブル放送のための信号処理のいずれかを実行させる手段をさらに有する。
【００１２】
したがって、同一受信装置にてデジタル放送信号とアナログ放送信号とを受信する場合には、アナログ放送信号は地上波放送により受信するのか、ケーブル放送により受信するのかを、判定部により自ら判定できる。そして判定結果に従い、アナログ地上波放送のための信号処理およびアナログケーブル放送のための信号処理のいずれかを実行して、アナログ放送信号を受信し処理できる。
【００１３】
好ましくは、信号処理には選局処理が含まれる。したがって、選局の対象となる放送信号は地上波放送により受信するのか、ケーブル放送により受信するのかを、判定部により自ら判定できる。そして判定結果に従い、地上波放送のための選局処理およびケーブル放送のための選局処理のいずれかを実行するから、地上波放送を受信するのかケーブル放送を受信するのか不明のために、地上波放送のための選局処理およびケーブル放送のための選局処理のいずれも実行する場合に比較して、高速に選局処理を行なえる。
【００１４】
好ましくは選局処理は、全てのチャネルを対象にして実行される。したがって、全てのチャネルを対象にして選局する場合でも、判定部の判定結果に従い、地上波放送のための選局処理およびケーブル放送のための選局処理のいずれかを実行するから、地上波放送を受信するのかケーブル放送を受信するのか不明のために、地上波放送のための選局処理およびケーブル放送のための選局処理のいずれも実行する場合に比較して、高速に選局処理を行なえる。また、全てのチャネルを対象にした選局処理が実施される場合でも、ユーザの待ち時間を短くできる。
【００１５】
好ましくは選局処理は、所望される１つのチャネルを対象にして実行される。たとえばチャネルを直接に指定するダイレクト選局またはアップダウン選局などの通常の選局においても、判定部の判定結果に従い、地上波放送のための選局処理およびケーブル放送のための選局処理のいずれかを実行するから、地上波放送を受信するのかケーブル放送を受信するのか不明のために、地上波放送のための選局処理およびケーブル放送のための選局処理のいずれも実行する場合に比較して、高速に選局処理を行なえる。
【００１６】
また、ユーザは放送信号による番組の視聴時に他の番組のチャネルに変更しても、上述のように判定部の判定結果に従い、地上波放送のための選局処理およびケーブル放送のための選局処理のいずれかが実行されるだけである。したがって、チャネル変更してから変更後チャネルで放送の新たな番組を視聴できるまでの待ち時間を短くできる。
【００１７】
好ましくは信号処理には、選局処理された後の放送信号を予め準備されたテレビジョン受像部を介して視聴可能な信号に変換する変換処理を含み、受信装置とテレビジョン受像部とは一体的に構成される。
【００１８】
したがって、上述したような特徴を有した受信機能を備えるテレビジョン装置を得ることができる。
【発明の効果】
【００１９】
発明によれば、デジタル地上波放送とデジタルケーブル放送のいずれかを受信可能な受信装置では、受信する放送信号が地上波放送によるものであるのか、またはＣＡＴＶ放送によるものであるのかを、外部から何ら指示を与えなくとも自らが判断して、それに応じた信号処理を行なわせることができる。
【００２０】
ユーザにとっては、ケーブルを差し替えて地上波放送とケーブル放送との間で切替えを行なったとしても、切替えたことを示す指示を受信装置に与えなくてもよいから、使い勝手に優れる。
【発明を実施するための最良の形態】
【００２１】
図１は、この発明の実施の形態に係る放送受信装置１の構成図である。放送受信装置１は図示のない入力端子から高周波信号であるＲＦ（Radio Frequency）信号１０を入力して、処理し、外部に接続されたＴＶ受像機８に対して、受信した放送をＴＶ受像機８を介して視聴可能とするためのビデオ信号２０を出力する。ここでは放送受信装置１はＴＶ受像機８とは別個に設けられたＳＴＢ（Set Top Box）として示されるが、放送受信装置１はＴＶ受像機８に内蔵されて放送受信装置１が搭載されたテレビジョン装置が提供されてもよい。また、アナログＴＶ放送信号はＮＴＳＣ方式に従うＮＴＳＣ信号としているが、この方式に限定されない。
【００２２】
図１を参照して放送受信装置１は、ＤＴＶ放送のため処理部、ＮＴＳＣ信号のアナログＴＶ放送のための処理部、放送受信装置１の各部を制御するためのＣＰＵ（Central Processing Unit）６、接続判定データＤおよびテーブルＴＢ１〜ＴＢ４を含むデータを格納するＥＥＰＲＯＭ（Electrically Erasable and Programmable Read Only Memory）７および信号獲得判定回路５０を備える。
【００２３】
ＤＴＶ放送のため処理部は、ＲＦ信号１０を入力して処理し、コンピュータで処理可能なＴＳ（Transport Stream）データ３０を出力するＮＩＭ（Network Interface Module）２およびＴＳデータ３０を入力してＭＰＥＧ（Motion Picture Experts Group）方式に従いデコードして、ビデオ信号２０を出力するＭＰＥＧデコーダ３を有し、アナログＴＶ放送のための処理部はＲＦ信号１０を入力してチューニング動作するアナログ方式チューナ４およびアナログ方式チューナ４のチューニング動作により抽出された放送信号についてＮＴＳＣ方式に従いデコードしてビデオ信号２０を出力するＮＴＳＣデコーダ５を有する。
【００２４】
放送受信装置１にはＲＦ信号１０として地上波放送によるＲＦ信号およびＣＡＴＶ放送によるＲＦ信号のいずれかが入力され得る。
【００２５】
ＥＥＰＲＯＭ７の接続判定データＤは、ＲＦ信号１０として地上波放送によるものが与えられているのか、またはＣＡＴＶ放送によるものが与えられているのかを示す。すなわち、放送受信装置１に地上波放送を受信するための機器（アンテナ）が接続されているのか、ＣＡＴＶ放送を受信するための機器（ケーブル）が接続されているのかを示す。
【００２６】
テーブルＴＢ１〜ＴＢ４それぞれは、たとえばＡＴＳＣ（Advanced Television Systems Committee）に従うデジタル地上波放送用、デジタルＣＡＴＶ放送用、アナログ地上波放送用およびアナログＣＡＴＶ放送用のそれぞれに対応して設けられている。テーブルＴＢ１〜ＴＢ４は図２に示すような同様の構成を有するので、ここではテーブルＴＢ１について説明する。
【００２７】
テーブルＴＢ１は対応のＴＶ放送信号を送信する放送局ごとに、言換えると複数の異なる放送チャネルを示すチャネル番号４０と、チャネル番号４０のそれぞれに対応して同調（チューニング）情報４１と同調可否データ４２とを含む。同調情報４１はＣＰＵ６により読取られてＮＩＭ２またはアナログ方式チューナ４に与えられるので、ＮＩＭ２またはアナログ方式チューナ４は、与えられる同調情報４１に基づいてチューニング動作してチューニングに成功したか否か、すなわち入力するＲＦ信号１０から、与えられた同調情報４１で示される周波数帯域（該同調情報４１に対応のチャネル）の放送信号を抽出できたか否かの同調の可否を示す同調可否データ４２をＣＰＵ６に対して出力する。テーブルＴＢ１とＴＢ２から読出される同調情報４１はＮＩＭ２に与えられて、テーブルＴＢ３とＴＢ４から読出される同調情報４１はアナログ方式チューナ４に与えられる。
【００２８】
図３には、本実施の形態に係るＮＩＭ２の構成例が示される。図３を参照してＮＩＭ２は８ＶＳＢに従って変調されたデジタル地上波放送のための８ＶＳＢ復調部２１、およびＱＡＭに従って変調されたデジタルＣＡＴＶ放送のためのＱＡＭ復調部３１を有する。
【００２９】
８ＶＳＢ復調部２１は、ＲＦ信号１０を入力して同調情報４１に基づいて特定のチャネルの周波数の信号を抽出して出力するチューナ２２、チューナ２２の出力するアナログ信号を入力してデジタル信号に変換するＡＤＣ（Analog Digital Converter）２３、ＡＤＣ２３の出力するデジタル信号を入力して８ＶＳＢに従い復調する８ＶＳＢ復調回路２４および８ＶＳＢ復調回路２４が出力するデジタル信号を入力して所定のエラー訂正処理をし、ＴＳデータ３０として出力するエラー訂正回路２５を有する。
【００３０】
８ＶＳＢ復調回路２４はデジタル信号を入力すると、入力信号から送信側と受信側で信号の同期をとるために使用しているパイロット信号を除去し、パイロット信号が除去された入力信号について図示のないイコライザで信号の位相のずれを除去した後に、該入力信号をエラー訂正回路２５に出力する。エラー訂正回路２５は入力した信号について送信側で使用されたトレリス、データインタリーブ、リードソロモン、データラマンダマイズを復元して、これにより入力信号からＴＳデータ３０を取出している。
【００３１】
ＱＡＭ復調部３１はＲＦ信号１０から、同調情報４１で指定されるチャネルの周波数のＲＦを抽出して出力するチューナ３２、チューナ３２から出力されたアナログ信号をデジタル信号に変換して出力するＡＤＣ３３、ＡＤＣ３３の出力するデジタル信号を入力して、ＱＡＭに従い復調するＩ信号復調器３４およびＱ信号復調器３５、ならびにこれら復調器により復調された信号についてエラー訂正してＴＳデータ３０を出力するエラー訂正回路３６を含む。
【００３２】
ＱＡＭは位相差９０度（直交関係）にある２つの搬送波に振幅の変化を与えて加え合せることにより、高能率の伝送を行なうデジタル変調方式である。これに対して８ＶＳＢは１つの搬送波信号に８レベルの振幅の変化を与える振幅変調方式である。したがってＱＡＭでは位相（Ｉ）と直交（Ｑ）の２つの成分を抽出する必要があるから、復調器はそれぞれの成分について設けられる。エラー訂正回路３６の訂正内容はエラー訂正回路２５で示すものとほぼ等しい。
【００３３】
図４（Ａ）には８ＶＳＢに従い変調されたＲＦ信号１０の波形が示されて、図４（Ｂ）にはＱＡＭに従い変調されたＲＦ信号１０の波形が示される。図４（Ａ）の８ＶＳＢ方式は１シンボル当り３ビットの情報を伝送することができる。図４（Ｂ）のＱＡＭ変調には、たとえば１６ＱＡＭと６４ＱＡＭとがある。１６ＱＡＭでは、１シンボル当り４ビットの情報を伝送し６４ＱＡＭでは１シンボル当り６ビットの情報を伝送する。振幅のレベルが細かいほど多量のデータを伝送することができるが、ノイズによるエラーの確率が高くなる。そのためにＱＡＭは、比較的伝送条件のよいＣＡＴＶに使用される変調方式である。
【００３４】
図１の信号獲得判定回路５０は、放送受信装置１に入力したＲＦ信号１０において一定周期でパイロット信号が検出される図４（Ａ）の８ＶＳＢの変調に特有の波形スペクトルが検出されたときは、８ＶＳＢ信号が獲得できたことを示す獲得結果信号４４を出力し、図４（Ｂ）のＱＡＭの変調に特有の波形スペクトルを検出したときはＱＡＭ信号が獲得できたことを示す獲得結果情報４４を出力し、ここでは示さないがＮＴＳＣ信号に独自の波形スペクトルを検出したときはＮＴＳＣ信号が獲得できたことを示す獲得結果情報４４を出力する。これらの各波形スペクトルを検出できないときは信号を獲得できないことを示す獲得結果情報４４が出力される。出力された獲得結果情報４４はＣＰＵ６に与えられる。
【００３５】
本実施の形態に係る放送受信装置１では、受信可能な放送局の放送信号について（受信）チャネルを個別的に自動割当するオートスキャンを実施することができる。放送受信装置１は、デジタル地上波放送、デジタルＣＡＴＶ放送、アナログ地上波放送およびデジタルＣＡＴＶ放送のいずれにも受信可能なので、オートスキャンに先立って、放送受信装置１が地上波放送およびＣＡＴＶ放送のうちいずれの放送信号を受信可能な態様でアンテナまたはケーブルと接続されているかを判別して、判別した接続態様に従いオートスキャンを実施する必要がある。そこで、オートスキャンモードに移行すると放送受信装置１では図５のフローチャートに従い接続態様が自動認識される。
【００３６】
図示されないリモコン（リーモートコントローラ）などによりオートスキャンの実行開始が指示されると、ＣＰＵ６は接続判定データＤを“未決定”に設定して、ＥＥＰＲＯＭ７に格納する（図５のステップ（以下、単にＳと略す）１とＳ２）。その後、選局チャネルを決定し（Ｓ３）、接続判定データＤをチェックする（Ｓ４）。チェック結果、接続判定データＤは未決定を示しているので（Ｓ４で“未決定”）、次に、Ｓ３で決定した選局チャネルに対応のデジタル地上波放送のテーブルＴＢ１のチャネル番号４０の同調情報４１を読出してチューナ２２に与えるので、チューナ２２はこれにより選局する（Ｓ５）。
【００３７】
ここで選局（または選局処理）とは同調情報４１に基づいてＲＦ信号１０から所定周波数帯域の信号を抽出することをいい、抽出された信号は同調情報４１に対応のチャネル番号４０のチャネルの放送信号に対応する。チューナ２２および３２ならびにアナログ方式チューナ４のそれぞれは、選局処理して同調情報４１に基づく所定周波数帯域の信号を抽出できたときは‘可’を示し、そうでないときは‘不可’を示す同調可否データ４２をＣＰＵ６に出力する。オートスキャンモードでは、ＣＰＵ６は入力した同調可否データ４２をテーブルＴＢ１〜ＴＢ４のうち、該同調情報４１を読出したいずれかのテーブルに、該同調情報４１に対応付けて格納する。
【００３８】
Ｓ５の選局処理において、信号獲得判定回路５０がＲＦ信号１０に図４（Ａ）に示されるようなスペクトルパターンを検出したときはデジタル地上波放送信号を獲得できたことを示す獲得結果情報４４をＣＰＵ６に出力するので（Ｓ６）、ＣＰＵ６は、入力した獲得結果情報４４に基づいて接続判定データＤを、“地上波”に設定してＥＥＰＲＯＭ７に格納する（Ｓ７、Ｓ８）。
【００３９】
その後、すべてのチャネルについてオートスキャンが完了したか否かが判定される（Ｓ１６）。完了していなければ次のチャネルを決定し（Ｓ３）、接続判定データＤをチェックする（Ｓ４）。接続判定データＤは“地上波”を示すので（Ｓ１３でＹＥＳ）、ＣＰＵ６はテーブルＴＢ１から、決定されたチャネルに対応のチャネル番号４０の同調情報４１を読出して、ＮＩＭ２のチューナ２２に与えるので、チューナ２２で選局処理が開始される（Ｓ１４）。
【００４０】
その後は、ＥＥＰＲＯＭ７の接続判定データＤは“地上波”を示すことになるので、Ｓ３でチャネルが決定されながら、すべてのチャネルが選局されるまで（Ｓ１６でＹＥＳ）、テーブルＴＢ１の決定されたチャネルのチャネル番号４０に対応の同調情報４１に基づいてチューナ２２による選局処理（Ｓ１４）が繰返し行なわれる。
【００４１】
一方、獲得結果情報４４が未獲得を示せば（Ｓ６でＮＯ）、ＣＰＵ６は決定されているチャネルについてテーブルＴＢ２を検索して対応のチャネル番号４０の同調情報４１を読出してチューナ３２に与えるので、チューナ３２によりデジタルＣＡＴＶ放送について選局処理がなされる（Ｓ９）。このとき獲得結果情報４４が獲得できたことを示せば（Ｓ１０でＹＥＳ）、ＣＰＵ６は接続判定データＤを、“ケーブル”と設定してＥＥＰＲＯＭ７に格納し（Ｓ１１、Ｓ１２）、Ｓ１６の処理を経て、次のチャネルを決定する（Ｓ３）。
【００４２】
接続判定データＤをチェックすると（Ｓ４）、“ケーブル”を示すので（Ｓ１３でＮＯ）、ＣＰＵ６は決定されているチャネルに基づいてテーブルＴＢ２を検索して対応のチャネル番号４０の同調情報４１を読出しチューナ３２に与える。これにより、チューナ３２は選局処理する（Ｓ１５）。その後、Ｓ１６の処理に移行する。
【００４３】
以上のように、チャネルを順次更新しながら決定し、チューナ２２または３２に該決定チャネルに対応の同調情報４１に基づいた選局処理を行なわせ、そのとき、得られた獲得結果情報４４に基づき接続判定データＤが決定される。したがって全チャネルについてのＳ５〜Ｓ１５に示す処理が完了したときには（Ｓ１６でＹＥＳ）、接続判定データＤが示す値は“地上波”、“ケーブル”および“未決定”のいずれかを示す。その結果、接続判定データＤにより、放送受信装置１の接続態様の別（地上波放送を受信するための接続態様か、またはＣＡＴＶ放送を受信するための接続態様か、または未定の接続態様かの別）が指示されることになる。
【００４４】
ここで放送受信装置１はアナログ放送信号であるＮＴＳＣ信号も受信可能な構成を有するので、ＮＴＳＣ信号についてのオートスキャン動作が開始される。つまり、ＣＰＵ６は接続判定データＤに基づいてＮＴＳＣ信号は地上波放送として受信されるのか、またはＣＡＴＶ放送として受信されるのかを判定する（Ｓ３７）。接続判定データＤが“地上波”を示す場合には（Ｓ３８でＹＥＳ）、地上波放送によるＮＴＳＣ信号について全スキャンし（Ｓ３９）、“ケーブル”を示す場合には（Ｓ３８でＮＯ）、ＣＡＴＶ放送によるＮＴＳＣ信号について全スキャンし（Ｓ４０）、“未決定”を示す場合には（Ｓ３７で“未決定”）、既存の選局方法に従う処理が実行される（Ｓ４１）。その後、一連のオートスキャンは終了する。
【００４５】
地上波放送のＮＴＳＣ信号の全スキャン（Ｓ３９）では、まず、ＣＰＵ６はテーブルＴＢ３のチャネル番号４０で示される各チャネルについて、対応の同調情報４１を読み出してアナログ方式チューナ４に与える。アナログ方式チューナ４では与えられた同調情報４１に基づいて選局処理する。このような処理をテーブルＴＢ３に登録されるチャネル番号４０の全てのチャネルについて実行し完了すると地上波放送のＮＴＳＣ信号についての全スキャンは終了する。
【００４６】
ＣＡＴＶ放送のＮＴＳＣ信号の全スキャン（Ｓ４０）では、まず、ＣＰＵ６はテーブルＴＢ４のチャネル番号４０で示される各チャネルについて、対応の同調情報４１を読み出してアナログ方式チューナ４に与える。以降は、地上波放送のＮＴＳＣ信号の全スキャン（Ｓ３９）と同様な処理がなされる。このような処理をテーブルＴＢ４に登録されるチャネル番号４０の全てのチャネルについて実行し完了するとＣＡＴＶ放送のＮＴＳＣ信号についての全スキャンは終了する。
【００４７】
接続判定データ（Ｄ）が“未決定”を示しているときは、接続態様が不明であるから、Ｓ３９とＳ４０の処理を含む従来のアナログ放送信号の選局処理が実行される（Ｓ４１）。
【００４８】
したがって、地上波放送およびＣＡＴＶ放送を受信可能な放送受信装置１ではあるが、アナログ放送信号のオートスキャンでは、予め該接続態様を放送受信装置１自身で判定しておくとにより、該接続態様データＤに基づいてＣＡＴＶ放送によるオートスキャン（Ｓ４０）または地上波放送によるオートスキャン（Ｓ３９）のいずれかを選択的に実行するだけでよい。したがって、接続態様が‘未決定”のために地上波放送およびＣＡＴＶ放送の両方についてアナログ放送信号のオートスキャンを行なう場合に比較してアナログ放送信号のオートスキャンを高速化できる。
【００４９】
次に、図６のフローチャートに従い、ＴＶ受像機８を介した番組視聴時などの通常の選局処理について説明する。ユーザが図示のないリモコンを操作してＴＶ受像機８にて視聴する番組のチャネルを変更した場合には該チャネルの変更の指示はＣＰＵ６に与えられる。ＣＰＵ６は該指示で示される指定（変更後の）チャネルのデータを入力し（Ｓ２０）、ＥＥＰＲＯＭ７に格納されている接続判定データＤをチェックする（Ｓ２１）。
【００５０】
接続判定データＤは“未決定”を示せば例えば図５のオートスキャンが未実施であるから放送受信装置１の接続態様は未定である。そこで、想定され得るすべての接続態様についての選局処理を実行開始する。具体的には、ＣＰＵ６は、まずテーブルＴＢ１から指定チャネルに対応のチャネル番号４０で示される同調情報４１を読出して、チューナ２２に与えるので、チューナ２２では与えられた同調情報４１に基づく選局処理が行なわれる（Ｓ２９）。そのとき、獲得結果情報４４が８ＶＳＢ信号を獲得できたことを示した場合には（Ｓ３０でＹＥＳ）、選局処理は終了する。
【００５１】
一方、獲得結果情報４４が８ＶＳＢ信号を獲得できたことを示さない場合には（Ｓ３０でＮＯ）、ＣＰＵ６は、テーブルＴＢ２から指定チャネルに対応のチャネル番号４０で示される同調情報４１を読出して、チューナ３２に与えるので、チューナ３２では与えられた同調情報４１に基づいて選局処理が行なわれる（Ｓ３１）。そのとき、獲得結果情報４４がＱＡＭ信号を獲得できたことを示した場合には（Ｓ３２でＹＥＳ）、選局処理は終了する。
【００５２】
一方、獲得結果情報４４がＱＡＭ信号を獲得できたことを示さない場合には（Ｓ３２でＮＯ）、ＣＰＵ６は、テーブルＴＢ３から指定チャネルに対応のチャネル番号４０で示される同調情報４１を読出して、アナログ方式チューナ４に与えるので、アナログ方式チューナ４では与えられた同調情報４１に基づいてアナログ地上波放送について選局処理が行なわれる（Ｓ３３）。そのとき、獲得結果情報４４がＮＴＳＣ信号を獲得できたことを示した場合には（Ｓ３４でＹＥＳ）、選局処理は終了する。
【００５３】
一方、獲得結果情報４４がＮＴＳＣ信号を獲得できたことを示さない場合には（Ｓ３４でＮＯ）、ＣＰＵ６は、テーブルＴＢ４から指定チャネルに対応のチャネル番号４０で示される同調情報４１を読出して、アナログ方式チューナ４に与えるので、アナログ方式チューナ４では与えられた同調情報４１に基づいてアナログＣＡＴＶ放送について選局処理が行なわれる（Ｓ３５）。その後、選局処理は終了する。
【００５４】
接続判定データＤが“地上波”を示す場合には（Ｓ２１、Ｓ２２でＹＥＳ）、地上波放送について選局処理が行なわれる。まず、ＣＰＵ６はテーブルＴＢ１から指定チャネルに対応のチャネル番号４０で示される同調情報４１を読出して、チューナ２２に与えるので、チューナ２２では与えられた同調情報４１に基づいて選局処理が行なわれる（Ｓ２３）。そのとき、獲得結果情報４４が８ＶＳＢ信号を獲得できたことを示した場合には（Ｓ２４でＹＥＳ）、選局処理は終了する。
【００５５】
一方、獲得結果情報４４が８ＶＳＢ信号を獲得できたことを示さない場合には（Ｓ２４でＮＯ）、ＣＰＵ６は、テーブルＴＢ３から指定チャネルに対応のチャネル番号４０で示される同調情報４１を読出して、アナログ方式チューナ４に与えるので、アナログ方式チューナ４では与えられた同調情報４１に基づいて地上波放送について選局処理が行なわれる（Ｓ２５）。その後、選局処理は終了する。
【００５６】
接続判定データＤが“ケーブル”を示す場合には（Ｓ２１、Ｓ２２でＮＯ）、ＣＡＴＶ放送信号について選局処理が行なわれる。まず、ＣＰＵ６はテーブルＴＢ２から指定チャネルに対応のチャネル番号４０で示される同調情報４１を読出して、チューナ３２に与えるので、チューナ３２では与えられた同調情報４１に基づいて選局処理が行なわれる（Ｓ２６）。そのとき、獲得結果情報４４がＱＡＭ信号を獲得できたことを示した場合には（Ｓ２７でＹＥＳ）、選局処理は終了する。
【００５７】
一方、獲得結果情報４４がＱＡＭ信号を獲得できたことを示さない場合には（Ｓ２７でＮＯ）、ＣＰＵ６は、テーブルＴＢ４から指定チャネルに対応のチャネル番号４０で示される同調情報４１を読出して、アナログ方式チューナ４に与えるので、アナログ方式チューナ４では与えられた同調情報４１に基づいて選局処理が行なわれる（Ｓ２８）。その後、選局処理は終了する。
【００５８】
なお、図６の選局処理でも同調可否データ４２はＣＰＵ６に対して出力されるけれどもテーブルＴＢ１〜ＴＢ４には格納されない。
【００５９】
以上のように、接続判定データＤが“未決定”を示している場合には、すなわち未だ図５のオートスキャンが行なわれておらず放送受信装置１について接続態様が未定の場合には、通常の選局処理は想定される接続態様、すなわち地上波およびＣＡＴＶの両方放送について実行される（Ｓ２９〜Ｓ３５）。これに対して、接続判定データＤが“地上波”または“ケーブル”を示している場合には、すなわち図５のオートスキャンが既に行なわれて放送受信装置１について接続態様が判定している場合には、通常の選局処理は判定された接続態様、すなわち地上波およびＣＡＴＶのいずれかについてのみ実行されて（Ｓ２２〜Ｓ２８）、接続判定データＤが“未決定”の場合に比較して高速に選局処理を実行できる。
【００６０】
図６のＳ２７とＳ２４の判定は次のようにしても良い。つまり、接続判定データＤが“未決定”を示さず図５のオートスキャンが予め実行されていた場合には、テーブルＴＢ１とＴＢ２のチャネル番号４０が示すチャネルのそれぞれに対応の同調可否データ４２は“可”または“不可”を示すことになる。したがって、Ｓ２４の判定では、テーブルＴＢ１の該指定チャネルに対応のチャネル番号４０の同調可否データ４２が“不可”を示せばＳ２５の処理を実行し、“可”を示せば選局処理を終了し、同様にＳ２７の判定ではテーブルＴＢ２の該指定チャネルに対応のチャネル番号４０の同調可否データ４２が“不可”を示せばＳ２８の処理を実行し、“可”を示せば選局処理を終了するようにしてもよい。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６２】
【図１】この発明の実施の形態に係る放送受信装置の構成図である。
【図２】この発明の実施の形態に係るテーブルの構成例を示す図である。
【図３】この発明の実施の形態に係るＮＩＭの構成を示す図である。
【図４】（Ａ）と（Ｂ）は８ＶＳＢ信号とＱＡＭ信号のＲＦ信号のスペクトル波形を示す図である。
【図５】この発明の実施の形態に係るオートスキャンのフローチャートである。
【図６】この発明の実施の形態に係る通常の選局処理のフローチャートである。
【符号の説明】
【００６３】
１  放送受信装置、２  ＮＩＭ、３  ＭＰＥＧデコーダ、４  アナログ方式チューナ、５  ＮＴＳＣデコーダ、６  ＣＰＵ、７  ＥＥＰＲＯＭ、８  ＴＶ受像機、１０  ＲＦ信号、２０  ビデオ信号、３０  ＴＳデータ、４１  同調情報、４２  同調可否データ、４４  獲得結果情報、５０  信号獲得判定回路、Ｄ  接続判定データ、ＴＢ１〜ＴＢ４  テーブル。
【図１】
2005094555.tif 000003
【図２】
2005094555.tif 000004
【図３】
2005094555.tif 000005
【図４】
2005094555.tif 000006
【図５】
2005094555.tif 000007
【図６】
2005094555.tif 000008